(57)【要約】  本発明の態様は、自動的にX2構成を削除するための方法、基地局、及びネットワークシステムを開示する。方法の態様は、第1基地局によって、第2基地局の隣接セル構成データを取得するステップと、第1基地局によって、第1基地局の隣接セル構成データと第2基地局の隣接セル構成データとに基づいて、第1基地局と第2基地局との間に隣接セル関係が存在するか否かを判定するステップと、もし第1基地局と第2基地局との間に隣接セル関係が存在しない場合、第1基地局と第2基地局との間のX2インターフェースに対応するX2構成データを削除するステップとを含む。前述のソリューションは、冗長なX2構成データの自動的な削除を実行し、かつ第1基地局及び第2基地局が同一ネットワーク管理システムによって管理されることを必要とせず、それによって、X2構成データの分散管理を実施することができ、その結果、アプリケーションシナリオはより広くなる。
2016502374.tif 000002
【特許請求の範囲】
【請求項１】
自動的にX2構成を削除するための方法であって、
第1基地局によって、第2基地局の隣接セル構成データを取得するステップと、
前記第1基地局によって、前記第1基地局の隣接セル構成データと前記第2基地局の前記隣接セル構成データとに基づいて、前記第1基地局と前記第2基地局との間に隣接セル関係が存在するか否かを判定するステップと、
もし前記第1基地局と前記第2基地局との間に隣接セル関係が存在しない場合、前記第1基地局と前記第2基地局との間のX2インターフェースに対応するX2構成データを削除するステップと
を含む方法。
【請求項２】
前記第1基地局によって、前記第1基地局の隣接セル構成データと前記第2基地局の前記隣接セル構成データとに基づいて、前記第1基地局と前記第2基地局との間に隣接セル関係が存在するか否かを判定する前記ステップは、
前記第1基地局によって、前記第1基地局の前記隣接セル構成データに基づいて、前記第1基地局の隣接セルは前記第2基地局の全セルのいずれも含まないか否かを判定するとともに、前記第2基地局の前記隣接セル構成データに基づいて、前記第2基地局の隣接セルは前記第1基地局の全セルのいずれも含まないか否かを判定するステップと、
もし、前記第1基地局の前記隣接セルは前記第2基地局の全セルのいずれも含まず、かつ前記第2基地局の前記隣接セルは前記第1基地局の全セルのいずれも含まない場合、前記第1基地局と前記第2基地局との間に隣接セル関係が存在しないと判定するステップと
を含む請求項1に記載の方法。
【請求項３】
前記第2基地局の各セルのためのフラグを記憶するステップであって、前記フラグは前記第1基地局を隣接セルとして構成するか否かを識別するために使用される、ステップと、もし前記第1基地局が前記第2基地局の前記隣接セル構成データの更新情報を取得する場合、前記フラグを更新するために前記更新情報を使用するステップと
をさらに含む請求項1又は2に記載の方法。
【請求項４】
前記第1基地局の前記隣接セルは前記第2基地局の全セルのいずれも含まないことと、前記第2基地局の前記隣接セルは前記第1基地局の全セルのいずれも含まないこととを判定する前記ステップの後に、かつ前記第1基地局と前記第2基地局との間のX2インターフェースに対応するX2構成データを削除する前記ステップの前に、前記方法はさらに、
エージングタイマを開始するステップと、前記エージングタイマが満了した後、もし前記第1基地局の前記隣接セルは未だ前記第2基地局の全セルのいずれも含まず、かつ前記第2基地局の前記隣接セルは未だ前記第1基地局の全セルのいずれも含まない場合、前記第1基地局と前記第2基地局との間のX2インターフェースに対応するX2構成データを削除する前記ステップを実行するステップと
を含む請求項2又は3に記載の方法。
【請求項５】
前記第1基地局と前記第2基地局との間のX2インターフェースに対応するX2構成データを削除する前記ステップを実行する前記ステップの前に、前記方法はさらに、
前記第2基地局に前記第2基地局の全隣接セル構成データを返すことを要求するために、第1メッセージを前記第2基地局に送信するステップと、
前記第2基地局の前記全隣接セル構成データに基づいて、前記第2基地局の前記隣接セルは前記第1基地局の全セルのいずれも含まないか否かを判定するステップと、もし前記第2基地局の前記隣接セルは前記第1基地局の全セルのいずれも含まない場合、前記第1基地局と前記第2基地局との間のX2インターフェースに対応するX2構成データを削除する前記ステップを実行するステップと
を含む、請求項2〜4のいずれか一項に記載の方法。
【請求項６】
前記第1基地局によって、前記第1基地局の前記隣接セル構成データ及び/又は前記第1基地局の前記隣接セル構成データの更新情報を、前記第2基地局に送信するステップ
をさらに含む請求項1〜5のいずれか一項に記載の方法。
【請求項７】
基地局であって、
第2基地局の隣接セル構成データを取得するように構成された受信ユニットであって、前記基地局は第1基地局である、受信ユニットと、
前記第1基地局の隣接セル構成データと前記第2基地局の前記隣接セル構成データとに基づいて、前記第1基地局と前記第2基地局との間に隣接セル関係が存在するか否かを判定するように構成された隣接セル判定ユニットと、
もし前記第1基地局と前記第2基地局との間に隣接セル関係が存在しない場合、前記第1基地局と前記第2基地局との間のX2インターフェースに対応するX2構成データを削除するように構成された制御ユニットと
を備える基地局。
【請求項８】
前記隣接セル判定ユニットは特に、前記第1基地局の前記隣接セル構成データに基づいて、前記第1基地局の隣接セルは前記第2基地局の全セルのいずれも含まないか否かを判定し、かつ前記受信ユニットによって取得された前記第2基地局の前記隣接セル構成データに基づいて、前記第2基地局の隣接セルは前記第1基地局の全セルのいずれも含まないか否かを判定し、もし前記第1基地局の前記隣接セルは前記第2基地局の全セルのいずれも含まず、かつ前記第2基地局の前記隣接セルは前記第1基地局の全セルのいずれも含まない場合、前記第1基地局と前記第2基地局との間に隣接セル関係が存在しないと判定するように構成される、請求項7に記載の基地局。
【請求項９】
前記第2基地局の各セルのためのフラグを記憶するように構成されたストレージユニットであって、前記フラグは前記第1基地局を隣接セルとして構成するか否かを識別するために使用される、ストレージユニットと、
前記第2基地局の前記隣接セル構成データの更新情報を取得するようにさらに構成された前記受信ユニットと、
もし前記受信ユニットが前記第2基地局の前記隣接セル構成データの前記更新情報を取得する場合、前記ストレージユニットによって記憶された前記フラグを更新するために前記更新情報を使用するように構成された更新ユニットと
をさらに備える請求項7又は8に記載の基地局。
【請求項１０】
前記隣接セル判定ユニットが、前記第1基地局の前記隣接セルは前記第2基地局の全セルのいずれも含まず、かつ前記第2基地局の前記隣接セルは前記第1基地局の全セルのいずれも含まないと判定した後、かつ、前記制御ユニットが前記第1基地局と前記第2基地局との間の前記X2インターフェースに対応する前記X2構成データを削除する前に、起動するように構成されたエージングタイマと、
前記エージングタイマが満了した後、前記第1基地局の前記隣接セルは未だ前記第2基地局の全セルのいずれも含まないか否かと、前記第2基地局の前記隣接セルは未だ前記第1基地局の全セルのいずれも含まないか否かとを判定するようにさらに構成された前記隣接セル判定ユニットと、
前記エージングタイマが満了した後、前記隣接セル判定ユニットが、前記第1基地局の前記隣接セルは未だ前記第2基地局の全セルのいずれも含まないことと、前記第2基地局の前記隣接セルは未だ前記第1基地局の全セルのいずれも含まないこととを判定する場合、前記第1基地局と前記第2基地局との間のX2インターフェースに対応するX2構成データの前記削除を実行するように特に構成された前記制御ユニットと
をさらに備える請求項8又は9に記載の基地局。
【請求項１１】
送信ユニットは、前記制御ユニットが前記第1基地局と前記第2基地局との間のX2インターフェースに対応するX2構成データの前記削除を実行する前、前記第2基地局に前記第2基地局の全隣接セル構成データを返すことを要求するために、第1メッセージを前記第2基地局に送信するように構成され、
前記受信ユニットは、前記第2基地局によって返された前記第2基地局の前記全隣接セル構成データを取得するようにさらに構成され、
前記隣接セル判定ユニットは、前記受信ユニットによって取得された前記第2基地局の前記全隣接セル構成データに基づいて、前記第2基地局の前記隣接セルは前記第1基地局の全セルのいずれも含まないか否かを判定するようにさらに構成され、かつ
前記制御ユニットは、もし前記隣接セル判定ユニットが前記第2基地局の前記隣接セルは前記第1基地局の全セルのいずれも含まないと判定する場合、前記第1基地局と前記第2基地局との間の前記X2インターフェースに対応する前記X2構成データを削除するように特に構成される
請求項8〜10のいずれか一項に記載の基地局。
【請求項１２】
前記第1基地局の前記隣接セル構成データ及び/又は前記第1基地局の前記隣接セル構成データの更新情報を前記第2基地局に送信するように構成された第2送信ユニットをさらに備える請求項7又は11に記載の基地局。
【請求項１３】
受信器と、プロセッサと、メモリと、送信器とを備える基地局であって、
前記受信器は、第2基地局の隣接セル構成データを取得するように構成され、前記基地局は第1基地局であり、かつ
前記プロセッサは、前記第1基地局の隣接セル構成データと前記第2基地局の前記隣接セル構成データとに基づいて、前記第1基地局と前記第2基地局との間に隣接セル関係が存在するか否かを判定し、かつもし前記第1基地局と前記第2基地局との間に隣接セル関係が存在しない場合、前記第1基地局と前記第2基地局との間のX2インターフェースに対応するX2構成データを削除するように構成される、基地局。
【請求項１４】
前記プロセッサは特に、前記第1基地局の前記隣接セル構成データに基づいて、前記第1基地局の隣接セルは前記第2基地局の全セルのいずれも含まないか否かを判定し、かつ、前記受信器によって受信された前記第2基地局の前記隣接セル構成データに基づいて、前記第2基地局の隣接セルは前記第1基地局の全セルのいずれも含まないか否かを判定し、かつ、もし前記第1基地局の前記隣接セルは前記第2基地局の全セルのいずれも含まず、かつ前記第2基地局の前記隣接セルは前記第1基地局の全セルのいずれも含まない場合、前記第1基地局と前記第2基地局との間に隣接セル関係が存在しないと判定するように構成される、請求項13に記載の基地局。
【請求項１５】
前記受信器は、前記第1基地局のために前記第2基地局の前記隣接セル構成データの更新情報を受信するようにさらに構成され、
前記メモリは、前記第2基地局の各セルのためのフラグを記憶するように構成され、前記フラグは、前記第1基地局を隣接セルとして構成するか否かを識別するために使用され、かつ
前記プロセッサは、もし前記受信器が前記第2基地局の前記隣接セル構成データの前記更新情報を受信する場合、前記フラグを更新するために前記更新情報を使用するようにさらに構成される
請求項13又は14に記載の基地局。
【請求項１６】
前記プロセッサが、
前記第1基地局の前記隣接セルは前記第2基地局の全セルのいずれも含まず、かつ前記第2基地局の前記隣接セルは前記第1基地局の全セルのいずれも含まないと判定した後、かつ、前記第1基地局と前記第2基地局との間の前記X2インターフェースに対応する前記X2構成データを削除する前、エージングタイマを開始するように構成され、かつ
前記エージングタイマがタイムアウトした後、もし前記第1基地局の前記隣接セルは未だ前記第2基地局の全セルのいずれも含まず、かつ前記第2基地局の前記隣接セルは未だ前記第1基地局の全セルのいずれも含まない場合、前記第1基地局と前記第2基地局との間の前記X2インターフェースに対応する前記X2構成データを削除するように構成される
請求項14又は15に記載の基地局。
【請求項１７】
前記送信器は、前記プロセッサが前記第1基地局と前記第2基地局との間のX2インターフェースに対応するX2構成データの前記削除を実行する前に、前記第2基地局に前記第2基地局の全隣接セル構成データを返すことを要求するために、第1メッセージを前記第2基地局に送信するように構成され、
前記受信器は、前記第2基地局によって返された前記第2基地局の前記全隣接セル構成データを受信するようにさらに構成され、かつ
前記プロセッサは、前記受信器によって受信された前記第2基地局の前記全隣接セル構成データに基づいて、前記第2基地局の前記隣接セルは前記第1基地局の全セルのいずれも含まないか否かを判定し、かつ、もし前記第2基地局の前記隣接セルは前記第1基地局の全セルのいずれも含まない場合、前記第1基地局と前記第2基地局との間の前記X2インターフェースに対応する前記X2構成データを削除するように特に構成される
請求項14〜16のいずれか一項に記載の基地局。
【請求項１８】
前記送信器は、前記第1基地局の前記隣接セル構成データ及び/又は前記第1基地局の前記隣接セル構成データの更新情報を前記第2基地局に送信するように構成される、請求項13〜17のいずれか一項に記載の基地局。
【請求項１９】
2の基地局が、請求項7〜12及び13〜18のいずれか一項に記載の第1基地局と第2基地局とを含む、少なくとも2の基地局を備えるネットワークシステム。
【発明の詳細な説明】
【技術分野】
【０００１】
本発明は、通信技術の分野に関し、かつ特にX2構成を自動的に削除するための方法、基地局、及びネットワークシステムに関する。
【背景技術】
【０００２】
ロング・ターム・エボリューション(long term evolution, LTE)システムでは、通信は、X2インターフェースを介して基地局(enhanced NodeB, eNodeB)との間で実行されることができる。現在、LTE仕様は、自動的にX2インターフェースを設定する機能をサポートしている。しかし、それは自動的にX2インターフェースを削除する機能を定義していない。LTEネットワークが動的に変化するように、設定されたX2インターフェースは、冗長な構成になることがある。構成が時間内にクリーンアップされない場合、冗長な構成が既存のX2インターフェースの構成リソースを占有することがあり、その結果、新しいX2インターフェースを追加することができなくなる。
【０００３】
図1に示される基地局システムの概略図を参照する。この図は、冗長なX2構成が発生するシナリオを提供している。そのシナリオは、具体的には次の通りである。
【０００４】
初期ネットワーク構築フェーズでは、eNodeB AとeNodeB Bとが最初に有効になり、eNodeB AとeNodeB Bとの間のX2インターフェースは、自動X2のセットアッププロセスを使用して設定されている。ネットワーク構築時には、基地局は、一般的に散在した方法で設定されている。その後eNodeB Cが有効であると仮定すると、eNodeB Cが有効になった後、図1における3つの基地局間のカバレッジ関係は変化し、eNodeB AからeNodeB CへのX2インターフェースと、eNodeB CからeNodeB BへのX2インターフェースは、自動のX2設定機能を使用することによって、別々に設定される。この場合、eNodeB AとeNodeB Bとの間で前もって設定されたX2インターフェースは、冗長なX2構成となり、かつeNodeB AとeNodeB Bとの間のX2インターフェースに対応する構成データをクリーンアップする必要がある。
【０００５】
もし冗長なX2構成が手動でクリーンアップされる場合、多量の人手が必要となる。現在、冗長なX2構成は、一般的に、集中型のソリューションを使用することによって、自動的にクリーンアップされることができる。ソリューションを実行するための前提条件は、ネットワーク上のeNodeBが同一のネットワーク管理システムによって管理されることである。
【０００６】
集中型ソリューションの適用シナリオは、X2ローカルエンドとピアエンド基地局が同一のネットワーク管理システムによって管理される場合に限定される。それらが同一のネットワーク管理システムによって管理されないシナリオにおいて、ソリューションは実行されることができない。
【発明の概要】
【課題を解決するための手段】
【０００７】
このような点を鑑みて、本発明の態様は、X2構成を自動的に検出するための方法、基地局、及びネットワークシステムを提供し、適用シナリオをより広くする。
【０００８】
本発明の実施の第1の態様は、自動的にX2構成を削除するための方法を提供し、前記方法は、
第1基地局によって、第2基地局の隣接セル構成データを取得するステップと、
前記第1基地局によって、前記第1基地局の隣接セル構成データと前記第2基地局の前記隣接セル構成データとに基づいて、前記第1基地局と前記第2基地局との間に隣接セル関係が存在するか否かを判定するステップと、
もし前記第1基地局と前記第2基地局との間に隣接セル関係が存在しない場合、前記第1基地局と前記第2基地局との間のX2インターフェースに対応するX2構成データを削除するステップと
を含む。
【０００９】
第1の態様の実施ソリューションを参照すると、
前記第1基地局によって、前記第1基地局の隣接セル構成データと前記第2基地局の前記隣接セル構成データとに基づいて、前記第1基地局と前記第2基地局との間に隣接セル関係が存在するか否かを判定する前記ステップは、
前記第1基地局によって、前記第1基地局の前記隣接セル構成データに基づいて、前記第1基地局の隣接セルは前記第2基地局の全セルのいずれも含まないか否かを判定するとともに、前記第1基地局と前記第2基地局との間に隣接セル関係が存在しないことを判定するステップと、
もし前記第1基地局の前記隣接セルは前記第2基地局の全セルのいずれも含まず、かつ前記第2基地局の前記隣接セルは前記第1基地局の全セルのいずれも含まない場合、前記第1基地局と前記第2基地局との間の前記X2インターフェースに対応する前記X2構成データを削除するステップと
を含む。
【００１０】
第1の態様の実施ソリューションを参照すると、第1の可能な実施ソリューションにおいて、前記方法は、
前記第2基地局の各セルのためのフラグを記憶するステップであって、前記フラグは前記第1基地局を隣接セルとして構成するか否かを識別するために使用される、ステップと、もし前記第1基地局が前記第2基地局の前記隣接セル構成データの更新情報を受信する場合、前記フラグを更新するために前記更新情報を使用するステップと
をさらに含む。
【００１１】
第1の態様又は第1の可能な実施ソリューションを参照すると、第2の可能な実施ソリューションでは、
前記第1基地局の前記隣接セルは前記第2基地局の全セルのいずれも含まないことと、前記第2基地局の前記隣接セルは前記第1基地局の全セルのいずれも含まないこととを判定する前記ステップの後に、かつ前記第1基地局と前記第2基地局との間のX2インターフェースに対応するX2構成データを削除する前記ステップの前に、前記方法はさらに、
エージングタイマを開始するステップと、前記エージングタイマが満了した後、もし前記第1基地局の前記隣接セルは未だ前記第2基地局の全セルのいずれも含まず、かつ前記第2基地局の前記隣接セルは未だ前記第1基地局の全セルのいずれも含まない場合、前記第1基地局と前記第2基地局との間のX2インターフェースに対応するX2構成データを削除する前記ステップを実行するステップと
を含む。
【００１２】
第2の可能な実施ソリューションを参照すると、第3の可能な実施ソリューションでは、
前記第1基地局と前記第2基地局との間のX2インターフェースに対応するX2構成データを削除する前記ステップを実行する前記ステップの前に、前記方法はさらに、
前記第2基地局に前記第2基地局の全隣接セル構成データを返すことを要求するために、第1メッセージを前記第2基地局に送信するステップと、
前記第2基地局の前記全隣接セル構成データに基づいて、前記第2基地局の前記隣接セルは前記第1基地局の全セルのいずれも含まないか否かを判定するステップと、もし前記第2基地局の前記隣接セルは前記第1基地局の全セルのいずれも含まない場合、前記第1基地局と前記第2基地局との間のX2インターフェースに対応するX2構成データを削除する前記ステップを実行するステップと
を含む。前記第1メッセージは、基地局間のプライベートメッセージであってもよい。
【００１３】
第1の態様又は第1の可能な実施ソリューションを参照すると、第4の可能な実施ソリューションでは、前記方法は、
前記第1基地局によって、前記第1基地局の前記隣接セル構成データ及び/又は前記第1基地局の前記隣接セル構成データの更新情報を前記第2基地局に送信するステップをさらに含む。
【００１４】
本発明の実施形態の第2の態様は、基地局を提供し、前記基地局は、
第2基地局の隣接セル構成データを取得するように構成された受信ユニットであって、前記基地局は第1基地局である、受信ユニットと、
前記第1基地局の隣接セル構成データに基づいて、前記第1基地局の隣接セルは前記第2基地局の全セルのいずれも含まないか否かを判定し、かつ、前記受信ユニットによって受信される前記第2基地局の前記隣接セル構成データに基づいて、前記第2基地局の隣接セルは前記第1基地局の全セルのいずれも含まないか否かを判定するように構成された隣接セル判定ユニットと、
もし前記隣接セル判定ユニットが、前記第1基地局の前記隣接セルは前記第2基地局の全セルのいずれも含まず、かつ前記第2基地局の前記隣接セルは前記第1基地局の全セルのいずれも含まないと判定する場合、前記第1基地局と前記第2基地局との間のX2インターフェースに対応するX2構成データを削除するように構成された制御ユニットと
を備える。
【００１５】
第2の態様の実施ソリューションを参照すると、第1の可能な実施ソリューションにおいて、前記基地局は、
前記第2基地局の各セルのためのフラグを記憶するように構成されたストレージユニットであって、前記フラグは前記第1基地局を隣接セルとして構成するか否かを識別するために使用される、ストレージユニットと、
前記第2基地局の前記隣接セル構成データの更新情報を取得するようにさらに構成される前記受信ユニットと、
もし前記受信ユニットが前記第2基地局の前記隣接セル構成データの前記更新情報を受信する場合、前記ストレージユニットによって記憶された前記フラグを更新するために前記更新情報を使用するように構成された更新ユニットと
をさらに備える。
【００１６】
第2の態様又は第1の可能な実施ソリューションを参照すると、第2の可能な実施ソリューションにおいて、前記基地局は、
前記隣接セル判定ユニットが、前記第1基地局の前記隣接セルは前記第2基地局の全セルのいずれも含まず、かつ前記第2基地局の前記隣接セルは前記第1基地局の全セルのいずれも含まないと判定した後、かつ、前記制御ユニットが前記第1基地局と前記第2基地局との間の前記X2インターフェースに対応する前記X2構成データを削除する前に、起動するように構成されたエージングタイマと、
前記エージングタイマが満了した後、前記第1基地局の前記隣接セルは未だ前記第2基地局の全セルのいずれも含まないか否かと、前記第2基地局の前記隣接セルは未だ前記第1基地局の全セルのいずれも含まないか否かとを判定するようにさらに構成された前記隣接セル判定ユニットと、
前記エージングタイマが満了した後、もし前記隣接セル判定ユニットが、前記第1基地局の前記隣接セルは未だ前記第2基地局の全セルのいずれも含まないことと、前記第2基地局の前記隣接セルは未だ前記第1基地局の全セルのいずれも含まないこととを判定する場合、前記第1基地局と前記第2基地局との間のX2インターフェースに対応するX2構成データの前記削除を実行するように特に構成された前記制御ユニットと
をさらに備える。
【００１７】
第2の可能な実施ソリューションを参照すると、第3の可能な実施ソリューションにおいて、送信ユニットは、前記制御ユニットが前記第1基地局と前記第2基地局との間のX2インターフェースに対応するX2構成データの前記削除を実行する前、前記第2基地局に前記第2基地局の全隣接セル構成データを返すことを要求するために、第1メッセージを前記第2基地局に送信するように構成され、
前記受信ユニットは、前記第2基地局によって返された前記第2基地局の前記全隣接セル構成データを受信するようにさらに構成され、
前記隣接セル判定ユニットは、前記受信ユニットによって受信された前記第2基地局の前記全隣接セル構成データに基づいて、前記第2基地局の前記隣接セルは前記第1基地局の全セルのいずれも含まないか否かを判定するようにさらに構成され、かつ
前記制御ユニットは、もし前記隣接セル判定ユニットが前記第2基地局の前記隣接セルは前記第1基地局の全セルのいずれも含まないと判定する場合、前記第1基地局と前記第2基地局との間の前記X2インターフェースに対応する前記X2構成データを削除するように特に構成される。
【００１８】
第2の態様又は第1の可能な実施ソリューションを参照すると、第4の可能な実施ソリューションにおいて、前記基地局は、
前記第1基地局の前記隣接セル構成データ及び/又は前記第1基地局の前記隣接セル構成データの更新情報を前記第2基地局に送信するように構成された第2送信ユニットをさらに備える。
【００１９】
本発明の実施形態の第3の態様は、基地局を提供し、前記基地局は、受信器と、プロセッサと、メモリと、送信器とを備え、
前記受信器は、第2基地局の隣接セル構成データを取得するように構成され、前記基地局は第1基地局であり、かつ
前記プロセッサは、
前記第1基地局の隣接セル構成データに基づいて、前記第1基地局の隣接セルは前記第2基地局の全セルのいずれも含まないか否かを判定するとともに、前記受信器によって受信された前記第2基地局の前記隣接セル構成データに基づいて、前記第2基地局の隣接セルは前記第1基地局の全セルのいずれも含まないか否かを判定し、かつ
もし前記第1基地局の前記隣接セルは前記第2基地局の全セルのいずれも含まず、かつ前記第2基地局の前記隣接セルは前記第1基地局の全セルのいずれも含まない場合、前記第1基地局と前記第2基地局との間のX2インターフェースに対応するX2構成データを削除するように構成される。
【００２０】
第3の態様の実施ソリューションを参照すると、第1の可能な実施ソリューションにおいて、前記受信器は、前記第1基地局のために前記第2基地局の前記隣接セル構成データの更新情報を受信するようにさらに構成され、
前記メモリは、前記第2基地局の各セルのためのフラグを記憶するように構成され、前記フラグは、前記第1基地局を隣接セルとして構成するか否かを識別するために使用され、かつ
前記プロセッサは、もし前記受信器が前記第2基地局の前記隣接セル構成データの前記更新情報を受信する場合、前記フラグを更新するために前記更新情報を使用するようにさらに構成される。
【００２１】
第3の態様又は第1の可能な実施ソリューションを参照すると、第2の可能な実施ソリューションにおいて、
前記プロセッサが、
前記第1基地局の前記隣接セルは前記第2基地局の全セルのいずれも含まず、かつ前記第2基地局の前記隣接セルは前記第1基地局の全セルのいずれも含まないと判定した後、かつ、前記第1基地局と前記第2基地局との間の前記X2インターフェースに対応する前記X2構成データを削除する前、エージングタイマを開始するように構成され、かつ
前記エージングタイマが満了した後、もし前記第1基地局の前記隣接セルは未だ前記第2基地局の全セルのいずれも含まず、かつ前記第2基地局の前記隣接セルは未だ前記第1基地局の全セルのいずれも含まない場合、前記第1基地局と前記第2基地局との間の前記X2インターフェースに対応する前記X2構成データを削除するようにさらに構成される。
【００２２】
第2の可能な実施ソリューションを参照すると、第3の可能な実施ソリューションにおいて、
前記送信器は、前記プロセッサが前記第1基地局と前記第2基地局との間のX2インターフェースに対応するX2構成データの前記削除を実行する前に、前記第2基地局に前記第2基地局の全隣接セル構成データを返すことを要求するために、第1メッセージを前記第2基地局に送信するように構成され、
前記受信器は、前記第2基地局によって返された前記第2基地局の前記全隣接セル構成データを受信するようにさらに構成され、かつ
前記プロセッサは、前記受信器によって受信された前記第2基地局の前記全隣接セル構成データに基づいて、前記第2基地局の前記隣接セルは前記第1基地局の全セルのいずれも含まないか否かを判定し、かつ、もし前記第2基地局の前記隣接セルは前記第1基地局の全セルのいずれも含まない場合、前記第1基地局と前記第2基地局との間の前記X2インターフェースに対応する前記X2構成データを削除するように特に構成される。
【００２３】
第3の態様又は第1の可能な実施ソリューションを参照すると、第4の可能な実施ソリューションにおいて、前記送信器は、前記第1基地局の前記隣接セル構成データ及び/又は前記第1基地局の前記隣接セル構成データの更新情報を前記第2基地局に送信するように構成される。
【００２４】
本発明の実施形態の第4の態様はネットワークシステムを提供し、前記ネットワークシステムは、少なくとも2の基地局であって、前記2の基地局は、前記第2の態様又は前記第3の態様のソリューションのいずれか1における前記第1基地局及び前記第2基地局を備える。
【００２５】
前述の技術的ソリューションから理解できるように、以下の利点が存在する。前述のソリューションにおいて、第1基地局は、第2基地局の隣接セル構成データを取得することが可能であり、かつ、前記第1基地局の隣接セル構成データに基づいて前記第1基地局の隣接セルは前記第2基地局の全セルのいずれも含まないと判定し、かつ、前記第2基地局の前記隣接セル構成データに基づいて前記第2基地局の隣接セルは前記第1基地局の全セルのいずれも含まないと判定するとき、前記第1基地局と前記第2基地局との間のX2インターフェースに対応するX2構成データを削除することができる。これは、自動的に冗長なX2構成データの削除を実施し、かつ第1基地局及び第2基地局が同一のネットワーク管理システムによって管理されることを必要とせず、それによって、X2構成データの分散管理を実施することができ、その結果、アプリケーションシナリオはより広くなる。
【図面の簡単な説明】
【００２６】
本発明の実施形態の技術的ソリューションをより明瞭に説明するために、以下に、実施形態を説明するために必要な添付図面を簡潔に紹介する。当然ながら、以下の説明における添付図面は、本発明の単なるいくつか実施形態を示しているに過ぎず、当業者は、技術的努力なしにこれらの添付図面からさらに他の図面を導き出すことができる。
【図１】従来技術の基地局のネットワーキングの概略構造図である。
【図２】本発明の実施形態に基づく第1の方法の概略フローチャートである。
【図３】本発明の実施形態に基づく第2の方法の概略フローチャートである。
【図４】本発明の実施形態に基づく第3の方法の概略フローチャートである。
【図５】本発明の実施形態に基づく基地局の第1のタイプの概略構造図である。
【図６】本発明の実施形態に基づく基地局の第2のタイプの概略構造図である。
【図７】本発明の実施形態に基づく基地局の第3のタイプの概略構造図である。
【図８】本発明の実施形態に基づく基地局の第4のタイプの概略構造図である。
【図９】本発明の実施形態に基づく基地局の第5のタイプの概略構造図である。
【図１０】本発明の実施形態に基づく基地局の第6のタイプの概略構造図である。
【図１１】本発明の実施形態に基づくネットワークシステムの概略構造図である。
【発明を実施するための形態】
【００２７】
本発明の目的、技術的ソリューション、及び利点をより理解するために、以下にさらに添付図面を参照しながら詳細に本発明を説明する。当然ながら、説明される実施形態は、本発明の実施形態の全てではなく、単なる一部に過ぎない。創造的努力なしに本発明の実施形態に基づいて当業者によって取得される他の全ての実施形態は、本発明の保護範囲であるものとする。
【００２８】
図2に示されるように、本発明の実施形態は、自動的にX2構成を削除するための方法を提供する。前記方法は、以下のステップを含む。
201: 第1基地局は、第2基地局の隣接セル構成データを取得する。
【００２９】
前記第1基地局によって、第2基地局の隣接セル構成データを取得する方法は、例えば、36.423におけるX2セットアップ要求(X2 SETUP REQUEST)、X2セットアップ応答(X2 SETUP RESPONSE)、及びeNB構成更新(ENB CONFIGURATION UPDATE)のようなX2インターフェースプロトコルメッセージを使用することであってもよい。第2基地局の数は1又は2以上であってもよく、かつ、もし第2基地局の数が2以上である場合、独立したエンティティとして各基地局によって、自動的にX2構成を削除するための方法を実行するソリューションは、1の基地局によって、自動的にX2構成を削除するための方法を実行するソリューションと同一であると理解されてもよい。
【００３０】
前記隣接セル構成データは、基地局の隣接セルについての情報である。基地局の隣接セルがセルを含むか否かは、隣接セル構成データから理解されることができる。セルを含まないということは、隣接セルが存在しないことを意味する。隣接セル構成データは、隣接セル関係テーブルの形式で実施されてもよい。以下では、eNodeB Aが第1基地局であり、かつeNodeB Bが第2基地局であると仮定した実施例が使用される。前記第2基地局の隣接セル構成データの実施例を示す表1を参照されたい。
【００３１】
【表１】
2016502374.tif 000003
【００３２】
表1の最後の行は、存在しなくてもよい。表1は、eNodeB Bの隣接セルがeNodeB Aの全セルのいずれも含まず、かつeNodeB Bの隣接セルはeNodeB Cのmのセルを含むこと示してもよい。基地局のために、前記基地局は、基地局自体の隣接セル構成データを知ることができ、つまり、隣接セル構成データから、基地局の隣接セルがピア基地局の全セルのいずれも含んでいないか否かについての情報を知ることができる。
【００３３】
さらに、前記第2基地局の隣接セル構成データが取得された後、続いて第2基地局によって送信された隣接セル構成データは、変更部分、つまり隣接セル構成データの更新情報のみであってもよい。特に、ステップ201の後、前記方法は、第2基地局の各セルのためのフラグを記憶するステップをさらに含み、フラグは第1基地局を隣接セルとして構成するか否かを識別するために使用され、また、もし第1基地局が第2基地局の隣接セル構成データの更新情報を受信する場合、フラグを更新するために更新情報を使用するステップを含む。
【００３４】
202: 第1基地局は、前記第1基地局の隣接セル構成データと前記第2基地局の前記隣接セル構成データとに基づいて、前記第1基地局と前記第2基地局との間に隣接セル関係が存在するか否かを判定する。
【００３５】
特に、前記第1基地局によって、第1基地局の隣接セル構成データと第2基地局の隣接セル構成データとに基づいて、第1基地局と第2基地局との間に隣接セル関係が存在するか否かを判定するステップは、第1基地局によって、第1基地局の隣接セル構成データに基づいて、第1基地局の隣接セルは第2基地局の全セルのいずれも含まないか否かを判定し、かつ、第2基地局の隣接セル構成データに基づいて、第2基地局の隣接セルは第1基地局の全セルのいずれも含まないか否かを判定するステップと、もし第1基地局の隣接セルは第2基地局の全セルのいずれも含まず、かつ第2基地局の隣接セルは第1基地局の全セルのいずれも含まない場合、第1基地局と第2基地局との間に隣接セル関係が存在しないと判定するステップとであってよい。
【００３６】
前の実施例によると、前記第1基地局は、第1基地局の隣接セル構成データに基づいて、第1基地局の隣接セルは第2基地局の全セルのいずれも含まないか否かを知ることができ、かつ、第1基地局は、第2基地局の受信された隣接セル構成データに基づいて、第2基地局の隣接セルが第1基地局の全セルのいずれも含まないか否かを判定してもよい。前記第1基地局について、その隣接セル構成データのソリューションは、第2基地局に対するものと同一である。表1が参照されてもよく、かつ詳細は省略する。
【００３７】
203: もし前記第1基地局と前記第2基地局との間に隣接セル関係が存在しない場合、前記第1基地局と前記第2基地局との間のX2インターフェースに対応するX2構成データを削除する。
【００３８】
もし前記第1基地局の隣接セルが第2基地局のセルを含み、又は第2基地局の隣接セルが第1基地局のセルを含む場合、X2構成データは冗長なデータではなく、かつX2構成データを削除する必要がないと理解されてもよい。
【００３９】
前述のソリューションにおいて、第1基地局は第2基地局の隣接セル構成データを取得することができ、かつ、第1基地局の隣接セル構成データに基づいて第1基地局の隣接セルが第2基地局の全セルのいずれも含まないと判定し、かつ、第2基地局の隣接セル構成データに基づいて第2基地局の隣接セルが第1基地局の全セルのいずれも含まないと判定するとき、第1基地局と第2基地局との間のX2インターフェースに対応するX2構成データを削除することができる。これは、冗長なX2構成データの自動的な削除を実行し、かつ、第1基地局及び第2基地局が同一のネットワーク管理システムによって管理されることを必要とせず、それによって、X2構成データの分散管理を実施することができ、その結果、アプリケーションシナリオはより広くなる。
【００４０】
さらに、誤りによってX2構成データを削除する危険を減らすために、本発明のこの実施形態は、さらに以下のソリューションを提供する。すなわち、ステップ203において、第1基地局の隣接セルは第2基地局の全セルのいずれも含まず、かつ第2基地局の隣接セルは第1基地局の全セルのいずれも含まないと判定した後で、かつ、第1基地局と第2基地局との間のX2インターフェースに対応するX2構成データを削除する前に、前記方法は、エージングタイマを開始するステップと、エージングタイマが満了した後、もし第1基地局の隣接セルは未だ第2基地局の全セルのいずれも含まず、かつ第2基地局の隣接セルは未だ第1基地局の全セルのいずれも含まない場合、第1基地局と第2基地局との間のX2インターフェースに対応するX2構成データを削除する前記ステップを実行するステップとをさらに含む。
【００４１】
この実施形態において、エージングタイマを使用するソリューションを使用することによって、タイマの期限内に、前記第1基地局及び第2基地局の隣接セルが未だそれら個別のピアエンドの全セルのいずれも含まないか否か、つまり、第1基地局及び第2基地局の隣接セルが未だそれら個別のピアエンドの全セルのいずれも含まない状態が変わっていないことを監視することができ、かつ、この場合、第1基地局と第2基地局との間のX2インターフェースが冗長であることを判定する精度がより高くなる。従って、誤りによってX2構成データを削除する危険を減少させることができる。
【００４２】
さらに、第1基地局と第2基地局との間でX2構成データ削除の同期を保つために、本発明のこの実施形態は、以下のソリューションをさらに提供する。第1基地局と第2基地局との間のX2インターフェースに対応するX2構成データの削除を実行する前に、前記方法はさらに、
前記第1基地局の全隣接セル構成データを第2基地局に送信し、かつ第2基地局に第2基地局の全隣接セル構成データを返すことを要求するために、第1メッセージを第2基地局に送信するステップと、第2基地局の全隣接セル構成データに基づいて、第2基地局の隣接セルは第1基地局の全セルのいずれも含まないか否かを判定するステップと、もし第2基地局の隣接セルは第1基地局の全セルのいずれも含まない場合、第1基地局と第2基地局との間のX2インターフェースに対応するX2構成データを削除するステップとを含む。同様に、第2基地局は、第1基地局の全隣接セル構成データに基づいて、第1基地局の隣接セルは第2基地局の全セルのいずれも含まないか否かを判定し、かつ、もし第1基地局の隣接セルは第2基地局の全セルのいずれも含まない場合、第1基地局と第2基地局との間のX2インターフェースに対応するX2構成データを削除する。
【００４３】
全隣接セル構成データは、隣接セル構成データの更新情報と関連している。前記更新情報は、隣接セル構成データの変更部分であり、かつ全隣接セル構成データは、基地局の全ての隣接セル構成データを参照している。
【００４４】
この実施形態において、全隣接セルの変更及び判定は、X2第1メッセージの構造を使用することによって実行される。また、前記メッセージを使用して、X2インターフェースのローカルエンド及びピアエンド(つまり、第1基地局及び第2基地局)は、同時にX2構成データを削除する動作を実行することをトリガされてもよく、その結果、不一致な削除時間に起因するトランスポート層におけるリンクアラームを避けることができる。
【００４５】
前記第1基地局は別の基地局の隣接セル構成データを受信してもよく、かつ第1基地局はローカルエンドの隣接セル構成データを別の基地局に送信してもよいと理解されてもよく、その結果、別の基地局は、対応するX2構成データを削除するか否かを自動的に判定することができる。具体的なソリューションは以下の通りである。すなわち、前記方法は、第1基地局によって、第1基地局の隣接セル構成データ及び/又は第1基地局の隣接セル構成データの更新情報を第2基地局に送信するステップをさらに含む。
【００４６】
なお、さらに、前記第1基地局は、第2基地局の隣接セル構成データに基づかないで、X2インターフェースが冗長であるか否かを判定し、かつさらに冗長なX2構成データを削除してもよい。ソリューションは次のように使用されてもよい。すなわち、例えばデータが設定時間内に2の基地局間でトランスポート層において送信されるか否かが判定され、かつ送信されるデータが存在しない場合、2の基地局間のX2インターフェースは冗長であると判定され、かつ、X2インターフェースに対応するX2構成データは削除されることができる。または、データが設定時間内にX2インターフェースのデータリンクを介して送信されるか否かが判定され、かつ送信されるデータが存在しない場合、2の基地局間のX2インターフェースは冗長であると判定され、かつ次いで、X2インターフェースに対応するX2構成データは削除されることができる。
【００４７】
さらに、前述のソリューションは、第1基地局上の全X2インターフェースに対して実行されてもよく、かつ自動的にX2構成データを削除する方法は、自己組織ネットワーク(Self-Organized Network, SON)に属するソリューションである。もし全X2構成がSONによって自動的に管理されるとは限られず、ネットワークのX2構成が手動で管理されることが望まれる場合、スイッチが制御のために使用されてもよく、前記スイッチはeNodeBレベルとなるように設定されてもよい。特に、eNodeBのX2構成に対して、もしユーザが、X2構成の一部がSONによって管理されるとともに、X2構成の一部が手動で管理されることを望む場合、X2ホワイトリストを構成する方法が実施のために使用されてもよい。X2ホワイトリストに構成されるX2構成データは、自動X2削除ソリューションが使用されるときに処理されない。
【００４８】
前述の実施形態の導入に基づいて、本発明の実施形態は、ソリューションに対してより詳細な実施例をさらに提供する。このソリューションについて、第1基地局の各X2-インターフェースピアエンド(つまり、第2基地局)の各セルは、セルが第1基地局の隣接セルであるか否かを示すために隣接セルフラグを使用し、かつ、任意の実行時系列ソリューションを提供する。セルが隣接セルであるか否かを判定する識別方法を示すために隣接セルフラグを使用する必要がなくてもよく、かつ、後続の時系列が単なる多数の実行時系列の実施例に過ぎないと理解されてもよく、本発明のこの実施形態に限定するものとして解釈されるべきではない。図3に示される以下を含むソリューションを参照されたい。
301: 特定のX2インターフェースのための第1基地局の隣接セルフラグを初期化する。前記隣接セルフラグは最初に1に設定される。
【００４９】
X2インターフェースの2つのエンドは、それぞれ第1基地局及び第2基地局とすると、第2基地局の全セル(数1-mを有するセルが存在するとする)の隣接セルフラグは、最初に1に設定される。つまり、以下の表2に示されるように、第1基地局が第2基地局の全セルに対する隣接セルとして設定される。
【００５０】
【表２】
2016502374.tif 000004
【００５１】
302: 前記第1基地局が前記第2基地局の隣接セル構成データを取得した後、前記第1基地局は、前記隣接セルフラグを更新する。
【００５２】
前記第1基地局によって、隣接セル構成データを受信する方法は、第2基地局の隣接セル構成データを取得するために、例えば36.423におけるX2セットアップ要求(X2 SETUP REQUEST)、X2セットアップ応答(X2 SETUP RESPONSE)、及びENB構成更新(ENB CONFIGURATION UPDATE)のようなX2インターフェースプロトコルメッセージを使用することであってもよい。第2基地局の数は1又は2以上であってもよく、かつ、もし第2基地局の数が2以上である場合、独立したエンティティとして各基地局によって、自動的にX2構成を削除する方法を実行するためのソリューションは、1の基地局によって自動的にX2構成を削除する方法を実行するためのソリューションと同一であると理解されてもよい。
【００５３】
特に、受信される隣接セル構成データは、表3に示されるとする。
【００５４】
【表３】
2016502374.tif 000005
【００５５】
表3は、変更される隣接セルフラグのみを含んでもよく、隣接セルフラグ 0は、第1基地局が隣接セルフラグに対応するセルのために、隣接セルとして構成されないことを示している。表3が受信された後、表1は以下の表4に更新される。
【００５６】
【表４】
2016502374.tif 000006
【００５７】
もしその後に表5における隣接セル構成データが受信される場合、表5は以下のように示される。
【００５８】
【表５】
2016502374.tif 000007
【００５９】
前記第1基地局の隣接セル構成データを示す表は、以下の表6に更新されるべきである。
【００６０】
【表６】
2016502374.tif 000008
【００６１】
表6から理解できるように、前記第2基地局の隣接セルは第1基地局の全セルのいずれも含まない、つまり、第1基地局は、第2基地局の全セルのために、隣接セルとして構成されない。
【００６２】
303: 前記第1基地局は、以下が満たされるか否かを判定する。すなわち、前記第1基地局の隣接セルは前記第2基地局の全セルのいずれも含まないことと、前記第2基地局の前記隣接セルは前記第1基地局の全セルのいずれも含まないこととを判定する。もし前記第1基地局の前記隣接セルは前記第2基地局の全セルのいずれも含まず、かつ、前記第2基地局の前記隣接セルは前記第1基地局の全セルのいずれも含まない場合、304に進む。そうでなければ、306に進む。
【００６３】
表6によると、前記第2基地局の隣接セルは第1基地局の全セルのいずれも含まないことを理解できる。第1基地局の隣接セルは第2基地局の全セルのいずれも含まないか否かを判定するソリューションについては、第2基地局の隣接セルは第1基地局の全セルのいずれも含まないか否かを判定するソリューションを参照されたく、詳細は省略する。
【００６４】
304: X2エージングタイマが動作しているか否かを判定する。もし動作している場合、302に進み、もし動作していない場合、305に進む。
【００６５】
305: 時間計測を開始するために、X2エージングタイマを開始し、302に進む。
【００６６】
306: X2エージングタイマが動作しているか否かを判定する。もし動作している場合、307に進む。もし動作していない場合、302に進む。
【００６７】
307: 前記エージングタイマを停止させる。つまり、時間計測を停止する。
【００６８】
図3におけるソリューションを使用して、考えられる結果は、以下のようになる。すなわち、前記第1基地局の隣接セルは第2基地局の全セルのいずれも含まず、かつ第2基地局の隣接セルは第1基地局の全セルのいずれも含まず、かつ、タイマが時間計測を実行する間はずっと、全セルのいずれも含まれない状態が維持されるか否かである。前述のソリューションに基づくX2構成データの削除を制御するための特定のソリューションについては、以下を含む図4を参照されたい。
401: エージングタイマが満了となるか否かを判定する。もし前記エージングタイマがタイムアウトしない場合、前記判定を進め、もし前記エージングタイマが満了した場合、402に進む。このステップは、このサイクル決定方法の代わりの方法を使用することによって実行されてもよいことは理解されることができ、例えば、ステップ402をトリガするための信号は、前記エージングタイマが満了したときに送信され、その結果、402に進んでもよい。
【００６９】
タイマの時間計測期間は固定であってもよく、又は外部デバイスによって送信され、かつタイマによって受信される設定コマンドに基づいて設定されてもよい。また、タイマの期間を決定する方法は、本発明のこの実施形態に限定されない。
【００７０】
402: X2第1メッセージを使用することによって、第1基地局及び第2基地局の隣接セル構成データを交換し、かつ隣接セルフラグを更新する。
【００７１】
隣接セルフラグを更新するための具体的なソリューションについては、前述の実施形態における表4及び表6の更新例を参照されたく、従って詳細は省略する。
【００７２】
このステップにおいて、前記第1基地局によって第2基地局に送信される第1メッセージは、第2基地局の全隣接セル構成データを返すように第2基地局に要求する指示を含むだけでなく、第1基地局の全隣接セル構成データも含む。第1基地局の全隣接セル構成データは第2基地局に送信され、かつ従って、対応するX2構成データが削除される必要があるか否かを判定するために、第2基地局が第1基地局のものと同一のソリューションを実行することが便利である。
【００７３】
403: 前記第1基地局は、以下が満たされるか否かを判定する。すなわち、前記第1基地局の前記隣接セルは前記第2基地局の全セルのいずれも含まないことと、前記第2基地局の前記隣接セルは前記第1基地局の全セルのいずれも含まないこととを判定する。つまり、前記第1基地局及び前記第2基地局の前記隣接セルが、X2インターフェースのピアエンドで、全セルのいずれも含まないか否かを判定し、もし含む場合、404に進み、もし含まない場合、405に進む。
【００７４】
404: X2構成データを削除する。
【００７５】
405: 前記エージングタイマを停止させる。
【００７６】
前述のソリューションにおいて、第1基地局は、第2基地局の隣接セル構成データを取得することができ、かつ、前記第1基地局の隣接セル構成データに基づいて第1基地局の隣接セルは第2基地局の全セルのいずれも含まないと判定するとともに、第2基地局の隣接セル構成データに基づいて第2基地局の隣接セルは第1基地局の全セルのいずれも含まないと判定するとき、第1基地局と第2基地局との間のX2インターフェースに対応するX2構成データを削除することができる。これは、冗長なX2構成データの自動的な削除を実施し、第1基地局及び第2基地局が同一のネットワーク管理システムによって管理されることを必要とせず、それによって、X2構成データの分散管理を実施することができ、その結果、アプリケーションシナリオはより広くなる。
【００７７】
この実施形態において、エージングタイマを使用するソリューションを使用することによって、タイマの期限内に、第1基地局及び第2基地局の隣接セルが未だそれら個別のピアエンドの全セルのいずれも含まないか否か、つまり、第1基地局及び第2基地局の隣接セルが未だそれら個別のピアエンドの全セルのいずれも含まない状態が変わっていないことを監視することができ、かつ、この場合、第1基地局と第2基地局との間のX2インターフェースが冗長であることを判定する精度がより高くなる。従って、誤りによってX2構成データを削除する危険を減少させることができる。
【００７８】
この実施形態において、X2第1メッセージの構造を使用することによって、全隣接セルの交換及び判定が実行され、かつメッセージを使用することで、X2インターフェースのローカルエンド及びピアエンド(つまり、第1基地局及び第2基地局)は、同時にX2構成データを削除する動作を実行することをトリガされることができ、その結果、削除時間の不一致に起因するトランスポート層におけるリンクアラームを避けることができる。
【００７９】
図5に示されるように、本発明の実施形態はさらに以下を備える基地局を提供する。すなわち基地局は、
第2基地局の隣接セル構成データを取得するように構成された受信ユニット501であって、基地局は第1基地局である、受信ユニット501と、
第1基地局の隣接セル構成データと第2基地局の隣接セル構成データとに基づいて、第1基地局と第2基地局との間に隣接セル関係が存在するか否かを判定するように構成された隣接セル判定ユニット502と、
もし隣接セル判定ユニット502が、第1基地局の隣接セルは第2基地局の全セルのいずれも含まず、かつ第2基地局の隣接セルは第1基地局の全セルのいずれも含まないと判定する場合、第1基地局と第2基地局との間のX2インターフェースに対応するX2構成データを削除するように構成された制御ユニット503と
を備える。
【００８０】
前述のソリューションにおいて、第1基地局は、第2基地局の隣接セル構成データを取得することができ、かつ、第1基地局の隣接セル構成データに基づいて第1基地局の隣接セルは第2基地局の全セルのいずれも含まないと判定するとともに、第2基地局の隣接セル構成データに基づいて第2基地局の隣接セルは第1基地局の全セルのいずれも含まないと判定するとき、第1基地局と第2基地局との間のX2インターフェースに対応するX2構成データを削除することができる。これは、冗長なX2構成データの自動的な削除を実施し、第1基地局及び第2基地局が同一のネットワーク管理システムによって管理されることを必要とせず、それによって、X2構成データの分散管理を実施することができ、その結果、アプリケーションシナリオはより広くなる。
【００８１】
任意に、隣接セル判定ユニット502は特に、第1基地局の隣接セル構成データに基づいて、第1基地局の隣接セルは第2基地局の全セルのいずれも含まないか否かを判定し、かつ、受信ユニット501によって受信された第2基地局の隣接セル構成データに基づいて、第2基地局の隣接セルは第1基地局の全セルのいずれも含まないか否かを判定するように構成されてもよい。
【００８２】
もし第1基地局と第2基地局との間に隣接セル関係が存在しない場合、制御ユニット503は、第1基地局と第2基地局との間のX2インターフェースに対応するX2構成データを削除するように構成される。
【００８３】
さらに、前記第2基地局の隣接セル構成データが取得された後、続いて第2基地局によって送信された隣接セル構成データは、全隣接セル構成データでなくてもよいが、変更部分、つまり隣接セル構成データの更新情報のみであってもよい。具体的には、図6に示されるように、前記基地局は、
第2基地局の各セルのためのフラグを記憶するように構成されたストレージユニット601であって、フラグは第1基地局を隣接セルとして構成するか否かを識別するために使用される、ストレージユニット601と、
第2基地局の隣接セル構成データの更新情報を取得するようにさらに構成される受信ユニット501と、
もし受信ユニット501が第2基地局の隣接セル構成データの更新情報を取得する場合、ストレージユニット601によって記憶されたフラグを更新するために更新情報を使用するように構成された更新ユニット602と
をさらに備える。
【００８４】
さらに、誤りによってX2構成データを削除する危険を減らすために、本発明のこの実施形態は、さらに以下のソリューションを提供する。図7に示されるように、前記基地局は、
隣接セル判定ユニット502が、第1基地局の隣接セルは第2基地局の全セルのいずれも含まず、かつ第2基地局の隣接セルは第1基地局の全セルのいずれも含まないと判定した後、かつ、制御ユニット503が第1基地局と第2基地局との間のX2インターフェースに対応するX2構成データを削除する前に、起動するように構成されたエージングタイマ701と、
エージングタイマ701が満了となる前に、第1基地局の隣接セルは未だ第2基地局の全セルのいずれも含まないか否かと、第2基地局の隣接セルは未だ第1基地局の全セルのいずれも含まないか否かとを判定するようにさらに構成された隣接セル判定ユニット502と、
エージングタイマ701が満了となる前に、もし隣接セル判定ユニット502が、第1基地局の隣接セルは未だ第2基地局の全セルのいずれも含まないことと、第2基地局の隣接セルは未だ第1基地局の全セルのいずれも含まないこととを判定する場合、第1基地局と第2基地局との間のX2インターフェースに対応するX2構成データの削除を実行するように特に構成された制御ユニット503と
をさらに備える。
【００８５】
この実施形態において、エージングタイマを使用するソリューションを使用することによって、タイマの期限内に、第1基地局及び第2基地局の隣接セルが未だそれら個別のピアエンドの全セルのいずれも含まないか否か、つまり、第1基地局及び第2基地局の隣接セルが未だそれら個別のピアエンドの全セルのいずれも含まない状態が変わっていないことを監視することができ、かつ、この場合、第1基地局と第2基地局との間のX2インターフェースが冗長であることを判定する精度がより高くなる。従って、誤りによってX2構成データを削除する危険を減少させることができる。
【００８６】
さらに、第1基地局と第2基地局との間でX2構成データ削除の同期を保つために、本発明のこの実施形態は、さらに以下のソリューションを提供する。図8に示されるように、前記基地局は、
制御ユニット503が第1基地局と第2基地局との間のX2インターフェースに対応するX2構成データの削除を実行する前、第2基地局に第2基地局の全隣接セル構成データを返すことを要求するために、第1メッセージを第2基地局に送信するように構成された送信ユニット801と、
第2基地局によって返された第2基地局の全隣接セル構成データを受信するようにさらに構成された受信ユニット501と、
受信ユニット501によって受信された第2基地局の全隣接セル構成データに基づいて、第2基地局の隣接セルは第1基地局の全セルのいずれも含まないか否かを判定するようにさらに構成された隣接セル判定ユニット502と、
もし隣接セル判定ユニット502が第2基地局の隣接セルは第1基地局の全セルのいずれも含まないと判定する場合、第1基地局と第2基地局との間のX2インターフェースに対応するX2構成データを削除するように特に構成された制御ユニット503と
をさらに備える。
【００８７】
この実施形態において、全隣接セルの交換及び判定が、X2第1メッセージの構造を使用することによって実行され、かつメッセージを使用することで、X2インターフェースのローカルエンド及びピアエンド(つまり、第1基地局及び第2基地局)が、同時にX2構成データを削除する動作を実行することをトリガされることができ、その結果、削除時間の不一致に起因するトランスポート層におけるリンクアラームを避けることができる。
【００８８】
さらに、第1基地局は、別の基地局の隣接セル構成データを受信し、かつ第1基地局がローカルエンドの隣接セル構成データを別の基地局に送信してもよく、その結果、別の基地局は、対応するX2構成データを削除するか否かを自動的に判定することができると理解されてもよい。具体的なソリューションは以下のようである。すなわち、図9に示されるように、基地局はさらに、
第1基地局の隣接セル構成データ及び/又は第1基地局の隣接セル構成データの更新情報を第2基地局に送信するように構成された第2送信ユニット901を備える。
【００８９】
図10に示されるように、本発明の実施形態は、受信器1001と、プロセッサ1002と、メモリ1003と、送信器1004とを備える基地局をさらに提供する。
【００９０】
受信器1001は、第2基地局の隣接セル構成データを取得するように構成され、前記基地局は第1基地局である。
【００９１】
プロセッサ1002は、第1基地局の隣接セル構成データと第2基地局の隣接セル構成データとに基づいて、第1基地局と第2基地局との間に隣接セル関係が存在するか否かを判定し、かつ、もし第1基地局と第2基地局との間に隣接セル関係が存在しない場合、第1基地局と第2基地局との間のX2インターフェースに対応するX2構成データを削除するように構成される。
【００９２】
前述のソリューションにおいて、第1基地局は、第2基地局の隣接セル構成データを取得することができ、かつ、第1基地局の隣接セル構成データに基づいて第1基地局の隣接セルは第2基地局の全セルのいずれも含まないとを判定し、かつ第2基地局の隣接セル構成データに基づいて第2基地局の隣接セルは第1基地局の全セルのいずれも含まないと判定するとき、第1基地局と第2基地局との間のX2インターフェースに対応するX2構成データを削除することができる。これは、冗長なX2構成データの自動的な削除を実施し、第1基地局及び第2基地局が同一のネットワーク管理システムによって管理されることを必要とせず、それによって、X2構成データの分散管理を実施することができ、その結果、アプリケーションシナリオはより広くなる。
【００９３】
任意に、プロセッサ1002は特に、第1基地局の隣接セル構成データに基づいて第1基地局の隣接セルは第2基地局の全セルのいずれも含まないか否かを判定するとともに、受信器1001によって受信された第2基地局の隣接セル構成データに基づいて第2基地局の隣接セルは第1基地局の全セルのいずれも含まないか否かを判定するように構成され、かつ、もし第1基地局の隣接セルは第2基地局の全セルのいずれも含まず、かつ第2基地局の隣接セルは第1基地局の全セルのいずれも含まない場合、第1基地局と第2基地局との間に隣接セル関係が存在しないと判定するように構成される。
【００９４】
さらに、前記第2基地局の隣接セル構成データが取得された後、続いて第2基地局によって送信された隣接セル構成データは、全隣接セル構成データでなくてもよいが、変更部分、つまり隣接セル構成データの更新情報のみであってもよい。具体的には、
受信器1001は、第1基地局のために第2基地局の隣接セル構成データの更新情報を受信するようさらに構成され、
メモリ1003は、第2基地局の各セルのためのフラグを記憶するように構成され、フラグは、第1基地局を隣接セルとして構成するか否かを識別するために使用され、かつ
プロセッサ1002は、もし受信器1001が第2基地局の隣接セル構成データの更新情報を受信する場合、フラグを更新するために更新情報を使用するようにさらに構成される。
【００９５】
さらに、誤りによってX2構成データを削除する危険を減らすために、本発明のこの実施形態は、さらに以下のソリューションを提供する。
【００９６】
すなわち、プロセッサ1002は、第1基地局の隣接セルは第2基地局の全セルのいずれも含まず、かつ第2基地局の隣接セルは第1基地局の全セルのいずれも含まないと判定した後、かつ、第1基地局と第2基地局との間のX2インターフェースに対応するX2構成データを削除する前に、エージングタイマを起動するようさらに構成され、かつ、エージングタイマが満了した後、もし第1基地局の隣接セルは未だ第2基地局の全セルのいずれも含まず、かつ第2基地局の隣接セルは未だ第1基地局の全セルのいずれも含まない場合、第1基地局と第2基地局との間のX2インターフェースに対応するX2構成データを削除するようさらに構成される。
【００９７】
この実施形態において、エージングタイマを使用するソリューションを使用することによって、タイマの期限内に、前記第1基地局及び第2基地局の隣接セルが未だそれら個別のピアエンドの全セルのいずれも含まないか否か、つまり、第1基地局及び第2基地局の隣接セルが未だそれら個別のピアエンドの全セルのいずれも含まない状態が変わっていないことを監視することができ、かつ、この場合、第1基地局と第2基地局との間のX2インターフェースが冗長であることを判定する精度がより高くなる。従って、誤りによってX2構成データを削除する危険を減少させることができる。
【００９８】
さらに、第1基地局と第2基地局との間でX2構成データ削除の同期を保つために、本発明のこの実施形態は、さらに以下のソリューションを提供する。すなわち、
送信器1004は、プロセッサ1002が第1基地局と第2基地局との間のX2インターフェースに対応するX2構成データの削除を実行する前に、第2基地局に第2基地局の全隣接セル構成データを返すことを要求するために、第1メッセージを第2基地局に送信するように構成され、
受信器1001は、第2基地局によって返された第2基地局の全隣接セル構成データを受信するようにさらに構成され、かつ
プロセッサ1002は、特に、受信器1001によって受信された第2基地局の全隣接セル構成データに基づいて、第2基地局の隣接セルは第1基地局の全セルのいずれも含まないか否かを判定し、かつ、もし第2基地局の隣接セルは第1基地局の全セルのいずれも含まない場合、第1基地局と第2基地局との間のX2インターフェースに対応するX2構成データを削除するように構成される。
【００９９】
この実施形態において、全隣接セルの交換及び判定は、X2第1メッセージの構造を使用することによって実行され、かつ、メッセージを使用して、X2インターフェースのローカルエンド及びピアエンド(つまり、第1基地局及び第2基地局)が同時にX2構成データを削除する動作を実行することをトリガされることができ、その結果、削除時間の不一致に起因するトランスポート層におけるリンクアラームを避けることができる。
【０１００】
さらに、第1基地局が別の基地局の隣接セル構成データを受信してもよく、かつ第1基地局がローカルエンドの隣接セル構成データを別の基地局に送信してもよく、その結果、別の基地局が、自動的に対応するX2構成データを削除するか否かを判定すると理解されてもよい。具体的なソリューションは以下の通りである。
【０１０１】
すなわち、送信器1004は、第1基地局の隣接セル構成データ及び/又は第1基地局の隣接セル構成データの更新情報を第2基地局に送信するように構成される。
【０１０２】
図11に示されるように、本発明の実施形態は以下を備えるネットワークシステムをさらに提供する。すなわち、ネットワークシステムは、
少なくとも2の基地局であって、前記2の基地局が、本発明のこの実施形態において提供される第1基地局1101及び第2基地局1102を含む少なくとも2の基地局を備える。
【０１０３】
ネットワークシステムの前述のソリューションにおいて、第1基地局は、第2基地局の隣接セル構成データを取得することができ、かつ、第1基地局の隣接セル構成データに基づいて第1基地局の隣接セルは第2基地局の全セルのいずれも含まないと判定し、かつ第2基地局の隣接セル構成データに基づいて第2基地局の隣接セルは第1基地局の全セルのいずれも含まないと判定するとき、第1基地局と第2基地局との間のX2インターフェースに対応するX2構成データを削除することができる。これは、冗長なX2構成データの自動的な削除を実施し、第1基地局及び第2基地局が同一のネットワーク管理システムによって管理されることを必要とせず、それによって、X2構成データの分散管理を実施することができ、その結果、アプリケーションシナリオはより広くなる。
【０１０４】
この実施形態において、エージングタイマを使用するソリューションを使用することによって、タイマの期限内に、第1基地局及び第2基地局の隣接セルが未だ、それら個別のピアエンドの全セルのいずれも含まないか否か、つまり、第1基地局及び第2基地局の隣接セルが未だ、それら個別のピアエンドの全セルのいずれも含まない状態が変わっていないことを監視することができる。また、この場合、第1基地局と第2基地局との間のX2インターフェースが冗長であることを判定する精度がより高くなる。従って、誤りによってX2構成データを削除する危険を減少させることができる。
【０１０５】
この実施形態において、全隣接セルの交換及び判定がX2第1メッセージの構造を使用することによって実行され、かつ、メッセージを使用して、X2インターフェースのローカルエンド及びピアエンド(つまり、第1基地局及び第2基地局)が、同時にX2構成データを削除する動作を実行することをトリガされることができ、その結果、削除時間の不一致に起因するトランスポート層におけるリンクアラームを避けることができる。
【０１０６】
なお、基地局は、機能のみに基づいて論理的に分類されるが、本発明は、対応する機能が実施されることが可能であれば、前記分類に限定されない。さらに、各機能ユニットの具体的な名前は、それぞれを分類するためだけに使用されるが、本発明の保護範囲を限定するために使用されない。
【０１０７】
さらに、当業者は、前述の方法の実施形態におけるステップの全て又は一部が、関連ハードウェアに命令するプログラムによって実行されると理解できる。前記プログラムは、コンピュータ可読記憶媒体に記憶されてもよい。前記記憶媒体は、読み取り専用メモリ、磁気ディスク、又は光ディスクであってもよい。
【０１０８】
上述の説明は、単なる本発明の例示的な特定の実施形態であり、本発明の保護範囲を限定することを意図していない。本発明の実施形態に記載された技術範囲内で当業者によって行われる任意の変更又は置換は、本発明の保護範囲内であるものとする。従って、本発明の保護範囲は、特許請求の範囲に従うものとする。
【符号の説明】
【０１０９】
501  受信ユニット
502  隣接セル判定ユニット
503  制御ユニット
601  ストレージユニット
602  更新ユニット
701  エージングタイマ
801  送信ユニット
901  第2送信ユニット
1001  受信器
1002  プロセッサ
1003  メモリ
1004  送信器
1101  第1基地局
1102  第2基地局
【図１】
2016502374.tif 000009
【図２】
2016502374.tif 000010
【図３】
2016502374.tif 000011
【図４】
2016502374.tif 000012
【図５】
2016502374.tif 000013
【図６】
2016502374.tif 000014
【図７】
2016502374.tif 000015
【図８】
2016502374.tif 000016
【図９】
2016502374.tif 000017
【図１０】
2016502374.tif 000018
【図１１】
2016502374.tif 000019
【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
自動的にX2構成を削除するための方法であって、
第1基地局によって、第2基地局の隣接セル構成データを取得するステップと、
前記第1基地局によって、前記第1基地局の隣接セル構成データと前記第2基地局の前記隣接セル構成データとに基づいて、前記第1基地局と前記第2基地局との間に隣接セル関係が存在するか否かを判定するステップと、
もし前記第1基地局と前記第2基地局との間に隣接セル関係が存在しないと判定する場合、前記第1基地局によって、前記第1基地局と前記第2基地局との間のX2インターフェースに対応するX2構成データを削除するステップと
を含む方法。
【請求項２】
前記第1基地局によって、前記第1基地局の隣接セル構成データと前記第2基地局の前記隣接セル構成データとに基づいて、前記第1基地局と前記第2基地局との間に隣接セル関係が存在するか否かを判定する前記ステップは、
前記第1基地局によって、前記第1基地局の前記隣接セル構成データに基づいて、前記第1基地局の隣接セルは前記第2基地局の全セルのいずれも含まないか否かを判定するステップと、
前記第1基地局によって、前記第2基地局の前記隣接セル構成データに基づいて、前記第2基地局の隣接セルは前記第1基地局の全セルのいずれも含まないか否かを判定するステップと、
もし、前記第1基地局の前記隣接セルは前記第2基地局の全セルのいずれも含まず、かつ前記第2基地局の前記隣接セルは前記第1基地局の全セルのいずれも含まない場合、前記第1基地局によって、前記第1基地局と前記第2基地局との間に隣接セル関係が存在しないと判定するステップと
を含む請求項1に記載の方法。
【請求項３】
前記第1基地局と前記第2基地局との間に隣接セル関係が存在しないと判定する前記ステップの後、前記方法はさらに、
前記第1基地局によって、エージングタイマを開始するステップをさらに含み、かつ
前記第1基地局と前記第2基地局との間のX2インターフェースに対応するX2構成データを削除する前記ステップは、
前記エージングタイマが満了し、かつ、前記第1基地局と前記第2基地局との間に隣接セル関係が存在しなかった後、前記第1基地局によって、前記第1基地局と前記第2基地局との間の前記X2インターフェースに対応する前記X2構成データを削除する前記ステップを実行するステップを含む請求項1又は2に記載の方法。
【請求項４】
第1基地局によって、第2基地局の隣接セル構成データを取得する前記ステップは、
前記第1基地局によって、X2インターフェースプロトコルメッセージを使用することにより前記第2基地局の前記隣接セル構成データを取得するステップであって、前記X2インターフェースプロトコルメッセージは、X2セットアップ要求、X2セットアップ応答、又はeNB構成更新を含む、ステップ
を含む、請求項1〜3のいずれか一項に記載の方法。
【請求項５】
前記第1基地局によって、前記第1基地局の前記隣接セル構成データ及び/又は前記第1基地局の前記隣接セル構成データの更新情報を、前記第2基地局に送信するステップ
をさらに含む請求項1〜4のいずれか一項に記載の方法。
【請求項６】
基地局であって、
第2基地局の隣接セル構成データを取得するように構成された受信ユニットであって、前記基地局は第1基地局である、受信ユニットと、
前記第1基地局の隣接セル構成データと前記第2基地局の前記隣接セル構成データとに基づいて、前記第1基地局と前記第2基地局との間に隣接セル関係が存在するか否かを判定するように構成された隣接セル判定ユニットと、
もし前記隣接セル判定ユニットが前記第1基地局と前記第2基地局との間に隣接セル関係が存在しないと判定する場合、前記第1基地局と前記第2基地局との間のX2インターフェースに対応するX2構成データを削除するように構成された制御ユニットと
を備える基地局。
【請求項７】
前記隣接セル判定ユニットは、前記第1基地局の前記隣接セル構成データに基づいて、前記第1基地局の隣接セルは前記第2基地局の全セルのいずれも含まないか否かを判定し、かつ
前記受信ユニットによって取得された前記第2基地局の前記隣接セル構成データに基づいて、前記第2基地局の隣接セルは前記第1基地局の全セルのいずれも含まないか否かを判定し、かつ
もし前記第1基地局の前記隣接セルは前記第2基地局の全セルのいずれも含まず、かつ前記第2基地局の前記隣接セルは前記第1基地局の全セルのいずれも含まない場合、前記第1基地局と前記第2基地局との間に隣接セル関係が存在しないと判定するように構成される、請求項6に記載の基地局。
【請求項８】
前記隣接セル判定ユニットが、前記第1基地局と前記第2基地局との間に隣接セル関係が存在しないと判定した後、起動するように構成されたエージングタイマと、
前記エージングタイマが満了し、かつ、前記第1基地局と前記第2基地局との間に隣接セル関係が存在しないとき、前記第1基地局と前記第2基地局との間の前記X2インターフェースに対応する前記X2構成データを削除するように構成された前記制御ユニットと
をさらに備える請求項6又は7に記載の基地局。
【請求項９】
前記受信ユニットは、
X2インターフェースプロトコルメッセージを使用することにより前記第2基地局の前記隣接セル構成データを取得するように構成され、前記X2インターフェースプロトコルメッセージは、X2セットアップ要求、X2セットアップ応答、又はeNB構成更新を含む、請求項6〜8のいずれか一項に記載の基地局。
【請求項１０】
前記第1基地局の前記隣接セル構成データ及び/又は前記第1基地局の前記隣接セル構成データの更新情報を前記第2基地局に送信するように構成された第2送信ユニットをさらに備える請求項6〜9のいずれか一項に記載の基地局。
【請求項１１】
記録されたプログラムを有するコンピュータ可読記憶媒体であって、前記プログラムは、請求項1〜5のいずれか一項に記載の方法をコンピュータに実行させる、コンピュータ可読記憶媒体。
【手続補正２】
【補正対象書類名】明細書
【補正対象項目名】００８４
【補正方法】変更
【補正の内容】
【００８４】
さらに、誤りによってX2構成データを削除する危険を減らすために、本発明のこの実施形態は、さらに以下のソリューションを提供する。図7に示されるように、前記基地局は、
隣接セル判定ユニット502が、第1基地局の隣接セルは第2基地局の全セルのいずれも含まず、かつ第2基地局の隣接セルは第1基地局の全セルのいずれも含まないと判定した後、かつ、制御ユニット503が第1基地局と第2基地局との間のX2インターフェースに対応するX2構成データを削除する前に、起動するように構成されたエージングタイマ701と、
エージングタイマ701が満了した後に、第1基地局の隣接セルは未だ第2基地局の全セルのいずれも含まないか否かと、第2基地局の隣接セルは未だ第1基地局の全セルのいずれも含まないか否かとを判定するようにさらに構成された隣接セル判定ユニット502と、
エージングタイマ701が満了した後に、もし隣接セル判定ユニット502が、第1基地局の隣接セルは未だ第2基地局の全セルのいずれも含まないことと、第2基地局の隣接セルは未だ第1基地局の全セルのいずれも含まないこととを判定する場合、第1基地局と第2基地局との間のX2インターフェースに対応するX2構成データの削除を実行するように特に構成された制御ユニット503と
をさらに備える。
【手続補正３】
【補正対象書類名】図面
【補正対象項目名】図１０
【補正方法】変更
【補正の内容】
【図１０】
2016502374.tif 000020
【国際調査報告】
2016502374.tif 000021
2016502374.tif 000022
2016502374.tif 000023
2016502374.tif 000024